(57)【要約】  部品点数を増加させることなく組み立てしやすい構成で、２枚の上下風向板が回転不能に陥ることがない空気調和機の室内機を提供する。本発明に係る空気調和機の室内機は、背面側が室内の壁に取り付けられる筐体と、筐体に設けられた吸込口及び吹出口と、吸込口から吹出口に至る風路に配置された室内熱交換器及び室内送風機と、吹出口に回動可能に配置され、吹出口の下部で吹出口から吹き出される吹出風の吹出流路を形成し、吹出風の方向を上下に変更する上下風向板と、回動して上下風向板より筐体の前面側に位置し、吹出口の下端から下部に突出した位置で吹出流路を形成し、吹出風の方向を上下に変更する上下風向補助板と、を備える。上下風向板の先端の回転軌道は、上下風向補助板の軌道と交差し、上下風向板は、先端に半径寸法Ｒの曲面を有する稜線部を備え、上下風向補助板は、上下風向板の先端が接触し得る面に突出寸法Ｐだけ突出した突起部を有し、突起部の突出寸法Ｐは、半径寸法Ｒよりも小さい。
2017134744.tif 000002
【特許請求の範囲】
【請求項１】
背面側が室内の壁に取り付けられる筐体と、
前記筐体に設けられた吸込口及び吹出口と、
前記吸込口から前記吹出口に至る風路に配置された室内熱交換器及び室内送風機と、
前記吹出口に回動可能に配置され、前記吹出口の下部で前記吹出口から吹き出される吹出風の吹出流路を形成し、前記吹出風の方向を上下に変更する上下風向板と、
回動して前記上下風向板より前記筐体の前面側に位置し、前記吹出口の下端から下部に突出した位置で前記吹出流路を形成し、前記吹出風の方向を上下に変更する上下風向補助板と、を備え、
前記上下風向板の先端の回転軌道は、
前記上下風向補助板の軌道と交差し、
前記上下風向板は、
前記先端に半径寸法Ｒの曲面を有する稜線部を備え、
前記上下風向補助板は、
前記上下風向板の前記先端が接触し得る面に突出寸法Ｐだけ突出した突起部を有し、
前記突起部の前記突出寸法Ｐは、
前記半径寸法Ｒよりも小さい、空気調和機の室内機。
【請求項２】
前記上下風向補助板は、
上下風向補助板回転軸を中心に回動し、
前記上下風向補助板回転軸から延びる腕部と、該腕部の前記上下風向補助板回転軸が設けられている端部とは反対の端部に設けられた板状部と、を備え、
前記突起部は、
前記板状部が前記腕部の背面側端面から突出することにより形成される、請求項１に記載の空気調和機の室内機。
【請求項３】
前記上下風向板の回動の中心となる上下風向板回転軸と、
前記上下風向補助板の回動の中心となる上下風向補助板回転軸と、を備え、
前記上下風向板回転軸は、
前記吹出口の内部の背面側に位置し、
前記上下風向補助板回転軸は、
前記吹出口の内部の前記上下風向板回転軸より前面側に位置し、
前記上下風向板は、
運転開始時に前記筐体の前面から背面方向に向かって回動し、
前記上下風向補助板は、
運転開始時に前記上下風向板とは反対回りに回動する、請求項１又は２に記載の空気調和機の室内機。
【請求項４】
前記稜線部は、
前記上下風向板の下側面と前記先端の端面により形成される、請求項１〜３の何れか１項に記載の空気調和機の室内機。
【請求項５】
前記上下風向補助板は、
運転停止時に前記吹出口の内部に収納される、請求項１〜４の何れか１項に記載の空気調和機の室内機。
【請求項６】
前記上下風向板は、
運転停止時に前記吹出口を覆う、請求項１〜５の何れか１項に記載の空気調和機の室内機。
【発明の詳細な説明】
【技術分野】
【０００１】
本発明は、空気調和機の室内機に関し、特に吹出口の上下風向板に関する。
【背景技術】
【０００２】
従来の空気調和機の室内機は、吸込口から吹出口に至る空気流路に配置された送風ファンと、送風ファンの周囲に配置された熱交換器とを備えている。そして、吹出口から吹き出す気流の方向を室内機の前方から下方に自在に制御しつつ、冷房運転中に結露しないように対策された上下風向板を備えている。【０００３】
例えば、特許文献１に開示されている空気調和機の室内機によれば、筐体の下部に吹出口を備えている。吹出口には、２枚の上下風向板が備えられており、互いに独立駆動を可能としながら、２つの上下風向板の位相が所定の関係にあるときには、一方が他方の回転を拘束して回転不能にする構造になっている。これにより、不用意な回転が防止されるため、上下風向板を手で動かした場合にも回転不能に陥ることがない。
【先行技術文献】
【特許文献】
【０００４】
【特許文献１】特開２０１０−２４９３６０号公報
【発明の概要】
【発明が解決しようとする課題】
【０００５】
しかし、特許文献１に開示されているところでは、２枚の上下風向板以外の複数の部品を用いて複雑な構成により一方の上下風向板が他方の上下風向板の動きを制限するものであった。そのため、空気調和機の室内機は、構成部品が増加してしまい、また、製造時には組み立て工数が増加してしまうという課題があった。【０００６】
本発明は、上記のような課題を解決するためになされたもので、空気調和機は２枚の上下風向板を備えているが、部品点数を増加させることなく組み立てしやすい構成となっており、２枚の上下風向板が回転不能に陥ることがない空気調和機の室内機を提供することを目的とするものである。
【課題を解決するための手段】
【０００７】
本発明に係る空気調和機の室内機は、背面側が室内の壁に取り付けられる筐体と、前記筐体に設けられた吸込口及び吹出口と、前記吸込口から前記吹出口に至る風路に配置された熱交換器及び送風機と、前記吹出口に回動可能に配置され、前記吹出口の下部で前記吹出口から吹き出される吹出風の吹出流路を形成し、前記吹出風の方向を上下に変更する上下風向板と、回動して前記上下風向板より前記筐体の前面側に位置し、前記吹出口の下端から下部に突出した位置で前記吹出流路を形成し、前記吹出風の方向を上下に変更する上下風向補助板と、を備え、前記上下風向板の先端の回転軌道は、  前記上下風向補助板の軌道と交差し、前記上下風向板は、前記先端に半径寸法Ｒの曲面を有する稜線部を備え、前記上下風向補助板は、前記上下風向板の前記先端が接触し得る面に突出寸法Ｐだけ突出した突起部を有し、前記突起部の前記突出寸法Ｐは、前記半径寸法Ｒよりも小さい。
【発明の効果】
【０００８】
本発明によれば、空気調和機の冷房運転時に、上下風向板および上下風向補助板は、独立して回動し、吹出風の方向を変更させることができる。そして、上下風向板の先端の回転軌道と上下風向補助板の背面側の端部の回転軌道とは互いに交差し、上下風向板の先端と上下風向補助板の背面側の面は接触し得るが、上下風向板の先端の稜線部に設けられた半径寸法Ｒの丸みより小さい突起しか無いため、上部風向板の先端が上下風向補助板に引っ掛かって停止することがない。これにより、構成部品が少なく、また、製造時には簡単に組み立てができる空気調和機の室内機が得られる。
【図面の簡単な説明】
【０００９】
【図１】本発明の実施の形態１における空気調和機の冷媒回路を示した概略図である。
【図２】本発明の実施の形態１における空気調和機の室内機の斜視図である。
【図３】図２の室内機の長手方向に垂直な断面を表した説明図である。
【図４】図２の室内機の運転停止状態における長手方向に垂直な断面を表した説明図である。
【図５】図１の室内機の吹出口構成部の外観を示す図である。
【図６】図４の吹出口周辺の拡大図である。
【図７】上下風向板と上下風向補助板とが接触している状態の室内機の断面を表した説明図である。
【図８】図７の吹出口周辺の拡大図である。
【図９】図８の上下風向板と上下風向補助板との接触部をさらに拡大した模式図である。
【発明を実施するための形態】
【００１０】
以下、図面に基づいて本発明の実施の形態について説明する。各図において、同一の符号を付した機器等については、同一の又はこれに相当する機器を表すものであって、これは明細書の全文において共通している。また、明細書全文に表れている構成要素の形態は、あくまで例示であって、本発明は明細書内の記載のみに限定されるものではない。特に構成要素の組み合わせは、各実施の形態における組み合わせのみに限定するものではなく、他の実施の形態に記載した構成要素を別の実施の形態に適用することができる。さらに、添字で区別等している複数の同種の機器等について、特に区別したり、特定したりする必要がない場合には、添字を省略して記載する場合がある。また、図面では各構成部材の大きさの関係が実際のものとは異なる場合がある。
【００１１】
実施の形態１.
＜空気調和機１の冷媒回路１３の構成＞
図１は、本発明の実施の形態１における空気調和機１の冷媒回路を示した概略図である。図１に示されるように、空気調和機１は、室内機２と室外機３とがガス側連絡配管１１及び液側連絡配管１２により互いに接続されており、これにより冷媒回路１３が構成されている。室内機２は、室内熱交換器４を内部に備えており、室内熱交換器４に室内機２の外部につながる冷媒配管が接続されている。室外機３は、内部に四方切換弁９と、圧縮機８と、室外熱交換器６と、膨張弁１０とが備えられており、冷媒配管により接続されている。以上のように、冷媒回路１３は、室内熱交換器４、四方切換弁９、圧縮機８、室外熱交換器６、膨張弁１０が冷媒配管により接続され、冷凍サイクルを構成している。また、室内熱交換器４の近傍には、室内送風機５が配置されており、室外熱交換器６の近傍には、室外送風機７が設置されている。
【００１２】
＜室外機３の構成＞
室外機３の内部において、膨張弁１０と室外熱交換器６と四方切換弁９とは冷媒配管により直列に接続されている。四方切換弁９は、室外熱交換器６、圧縮機８の吸入口及び吐出口、ガス側連絡配管１１に続く冷媒配管に接続されている。四方切換弁９は、吐出口及び吸入口の接続先を切り替えることにより、暖房運転と冷房運転を切り替えることができる。図１において実線で示される四方切換弁９の経路の場合は、ガス側連絡配管１１につながる冷媒配管と圧縮機８の吸入口とが接続され、圧縮機８の吐出口と室外熱交換器６とが接続される。この時、空気調和機１は冷房運転を行う。一方、図１において破線で示される四方切換弁９の経路の場合は、室外熱交換器６と圧縮機８の吸入口とが接続され、圧縮機の吐出口とガス側連絡配管１１につながる冷媒配管とが接続される。この時、空気調和機１は暖房運転を行う。
【００１３】
＜室内機２の構成＞
図２は、本発明の実施の形態１における空気調和機１の室内機２の斜視図である。図３は、図２の室内機２の長手方向に垂直な断面を表した説明図である。図４は、室内機２が運転状態における長手方向に垂直な断面を表した説明図である。なお、図３は、室内機２が運転停止状態における説明図である。図２において、天井面Ｔは、室内機２が設置された室内の天井面である。壁面Ｋは、室内機２が設置されている壁面である。室内機２において、壁面Ｋ側にある面を室内機２の背面とする。室内機２の外観を構成する面において、背面と対向する反対側の面を前面と呼ぶ。室内機２の天井面Ｔ側にある面を天面とし、室内機２の外観を構成する面において、天面と対向する反対側の面を下面とし、図２の右側の側面を右側面とし、右側面と対向する反対側の面を左側面とする。また、室内機２の内部部品についても同様の説明をする。
【００１４】
図２に示されるように、室内機２は、横長の直方体状に形成された筐体６０を有する。筐体６０は、前面を前面パネル６３、左右側面を側面パネル６４、背面を背面パネル６５で覆われている。前面パネル６３は、壁面Ｋと平行に構成されており、吸込口２１となっている凹部が形成されている他は、天面から下面にわたって平らな１つの平面となっている。また、前面パネル６３の下端６３ａは、筐体６０の下面の前面側の端部を構成している。下面は背面パネル６５と、下面パネル６６と、上下風向板２７で覆われる。天面は天面パネル６８で覆われており、天面パネル６８は格子状の開口部を備え、これが吸込口２１ａとなる。前面パネル６３の筐体６０の高さ方向の中央付近にもスリットが形成されており、吸込口２１ｂとなっている。下面パネル６６は、室内の床面に平行になっている。なお、室内機２の筐体６０は、横長の直方体状に限定されず、空気を吸い込むための吸込口２１と、空気を吹き出すための吹出口２２がそれぞれ一箇所以上設けられている箱状であれば、図２の形状のみに限定されない。吸込口の位置や形状は必要とする風量やデザインに応じて、天面だけに設けても良いし、前面だけに設けても良い。また、吹出口２２についても、筐体６０の真下方向に開口している形態に限定されず、筐体６０の前面側に向いて斜めに開口されていても良い。
【００１５】
ただし、図２に示された実施の形態１の室内機２のように、室内機２を横長の直方体状とし、かつ吹出口２２を筐体６０の下面のみに設け、吹出口を前面パネル側に寄せて配置した場合は、運転停止時の室内機２を前面から見た時に吹出口２２が見えず、意匠性を向上させることができる。さらに、運転時、空気を吹出す角度を下向きに向け易くなり、空気を床面まで到達させることができる。
【００１６】
図３に示されるように、筐体６０の内部には、図示されていないモータの駆動によって空気の流れを生じさせる室内送風機５が収納されている。室内送風機５の天面側及び前面側の周囲は室内熱交換器４が配置されている。室内送風機５の下側には吹出口２２につながる風路４０が形成されている。吹出口２２の前面壁２２ｂには、風路４０の吹出口２２に至る手前に、左右の風向を調整するために左右風向板３０が設置されている。吹出口２２には上下の風向を調整するための上下風向板２７及び上下風向補助板３１がそれぞれ設けられている。また、室内熱交換器４の上流にはフィルター３７が配置され、室内熱交換器４の下にはドレンパン３８を配置し、室内熱交換器４で発生する凝縮水を回収する。
【００１７】
＜風路４０及び吹出口２２＞
風路４０は、背面側にある背面壁２２ａと前面側にある前面壁２２ｂとを備える。背面壁２２ａは、室内送風機５の背面側から下方向に向けて延び、室内送風機５の下側へ回り込むように形成され、吹出口２２に至る。つまり、背面壁２２ａは、室内送風機５の背面側から前面方向に向かって斜面を形成し、背面壁２２ａの終端２２ａｂが、下面パネル６６の内部側に接して位置している。
【００１８】
一方、吹出口２２の前面壁２２ｂは、その起点２２ｂａが室内送風機５の直下の前面寄りに位置しており、そこから前面側へ向けて斜め下方向に延び吹出口２２に至る。前面壁２２ｂの終端２２ｂｂ、つまり、吹出口２２側の端部は、室内機２の前面パネル６３の下端６３ａのすぐ裏側に位置する。
【００１９】
図５は、図１の室内機２の吹出口構成部の外観を示す図である。図５は、吹出口構成部から上下風向板２７、上下風向補助板３１を外した状態の外観図であり、室内機２の下面側から見た状態の図である。吹出口２２には、複数の左右風向板３０が設置されている。複数の左右風向板３０は、左右風向板連結棒７２、連結部７６、左右風向板駆動用モータ連結棒７５によって、左右風向板駆動用モータ５４と連結されている。左右風向板駆動用モータ５４は、回転により、左右風向板連結棒７２を左右に移動させ、左右風向板３０の向きを変更することができる。上下風向板駆動用モータ５１は、上下風向板２７を回動させる。上下風向補助板駆動用モータ５３は、上下風向補助板３１を駆動させる。上下風向板２７と上下風向補助板３１とは、それぞれ個別のモータにより独立した回転動作を行うことができる。
【００２０】
＜上下風向板２７＞
上下風向板２７は、回転軸３２ａに取り付けられており、回転軸３２ａを中心に回動可能に支持されている。回転軸３２ａは、吹出口２２の背面側に位置し、吹出口２２の背面壁２２ａの近傍に配置されており、背面壁２２ａの終端２２ａｂから隙間２９をもって配置されている。また、回転軸３２ａは、吹出口２２の内部に配置されている。運転時においては吹出口２２の下方向に上下風向板２７が開き、吹出風は吹出口２２と隙間２９の両方から吹き出すことになる。上下風向板２７と吹出口２２の内部の前面壁２２ｂとは対向して配置され、対向するその間の空間は吹出風の主流Ｆ１の吹出流路となる。上下風向板２７は、吹出口２２の長手方向に沿って延びる板状部２７ａとその板状の部分から凸している支持部材３２を備えている。支持部材３２は、回転軸３２ａに取り付けられている。上下風向板２７は、支持部材３２を介して板状部２７ａを上下方向に動かし、吹出口２２から吹出される空気の風向を上下方向に変更する。図４に示されるように、上下風向板２７は、運転時には回転軸３３を中心に下側に回転し、吹出口２２を開けるとともに、回転する角度が調整され、吹き出される風の上下方向を調整する。吹出口２２から吹き出す吹出風を主流Ｆ１と呼び、隙間２９から吹き出す吹出風を副流Ｆ２と呼ぶ。上下風向板２７が開いた時、上下風向板２７は、吹出口２２の下部において吹出風の主流Ｆ１をガイドする。
【００２１】
上下風向板２７の板状部２７ａの吹出風の主流Ｆ１側の面は、吹出風を案内する２つの面を有し、吹出流路を形成している。吹出風を案内する２つの面は、それぞれ、吹出風の主流Ｆ１の上流側に配置されている面を上流側ガイド面２６ａと、上流側ガイド面２６ａに対し下流側に配置されている面を下流側ガイド面２６ｂと呼ぶ。下流側ガイド面２６ｂは、上流側ガイド面２６ａに対し、吹出流路の内側に配置されている。上下風向板２７は、上流側ガイド面２６ａと下流側ガイド面２６ｂとの間に段差２８が形成されている。段差２８は、例えば、斜面又は曲面又はこれらの組み合わせにより、なだらかな面に形成されている。実施の形態１においては、段差２８は、上流側ガイド面２６ａに沿って流れる吹出風を表面からはく離させずに下流側ガイド面２６ｂに導けるように曲率の大きい曲面を接続してＳ字形状に形成されている。段差２８は、板状部２７ａの中央より風下側に配置されている。また、上下風向板２７は、先端にテーパー面２５を有する。テーパー面２５は、吹出風の主流Ｆ１側にあり、下流側ガイド面２６ｂとなだらかに接続されている。実施の形態１においては、下流側ガイド面２６ｂとテーパー面２５とは、曲面により接続されている。なお、実施の形態１において上流側ガイド面２６ａ及び下流側ガイド面２６ｂは、平面として表されているが、吹出風を案内できれば曲面であっても良い。
【００２２】
図３に示されている室内機２は運転停止状態であり、上下風向板２７は、吹出口２２を覆うように構成されている。上下風向板２７の板状部２７ａの先端部は、室内機２の運転停止状態においては、吹出口２２の開口部の前面側の端、つまり前面壁２２ｂの終端２２ｂｂに届くように構成されている。上下風向板２７の板状部２７ａは、吹出口２２を閉じて、内部が視認できないように構成されている。また、上下風向板２７の回動の中心となる回転軸３２ａは、運転停止状態においては板状部２７ａの上部に配置されている。
【００２３】
この上下風向補助板３１は、図５に示される上下風向補助板駆動用モータ５３が駆動されることによって、回転軸３２ａを中心に上側構造当たり（全閉状態）から下側構造当たり（全開状態）までの範囲を回動できるようになっている。上下風向板２７の先端は、回転軸３２ａを中心として、円軌道を描いて回動する。
【００２４】
＜上下風向補助板３１＞
吹出口２２の前面側であり上下風向板２７に対し上方に、前面壁２２ｂが位置している。前面壁２２ｂの空気流路側の面の近傍に上下風向補助板３１を回転させる回転軸３３が配置されている。回転軸３３は、吹出口２２の開口部から筐体内部側に入った位置に配置されており、上下風向板２７が吹出口２２を覆った時にはその上部に位置する。上下風向補助板３１の板状部３１ａは、回転軸から回転半径方向に延びる腕部３４の先端に設けられている。上下風向補助板３１は、回転軸３３の周りの回転方向に沿った方向に板状部３１ａの面を略平行にするように設置されている。つまり、上下風向補助板３１の板状部３１ａは回転軸３３の方に面を向けている。
【００２５】
上下風向補助板３１は、回転軸３３の回りを筐体６０の前後方向に回動することができる。図３に示される様に、上下風向補助板３１は、運転停止状態では吹出口２２の内部に収納されており、板状部３１ａは端部を下方に向けて、風路４０の一部を塞ぐよう収納されているが、図４に示される様に、運転状態においては吹出口２２の下端から下部に突出した位置に板状部３１ａの全体を突出させて、板状部３１ａが略水平になるように位置させることができる。また、上下風向補助板３１は、その板状部３１ａが吹出口２２の長手方向、つまり室内機２の左右方向に沿って伸びており、吹出口２２から吹き出される吹出風の主流Ｆ１の上下方向の風向を変更することができる。上下風向補助板３１の板状部３１ａは、上下風向板２７の板状部２７ａとともに吹出流路を形成する。なお、実施の形態１において、上下風向補助板３１の板状部３１ａは、曲面を有する板状に形成されているが、吹出風を案内できれば平板状であっても良い。
【００２６】
この上下風向補助板３１は、図５に示される上下風向補助板駆動用モータ５３が駆動されることによって、回転軸３３を中心に、図３に示されているような収納状態である後側構造当たり状態から前側構造当たり状態までの範囲を回動できるようになっている。前側構造当たり状態は、図４に示されている上下風向補助板３１の位置から更に前側に回動されて、腕部３４が前面壁２２ｂの終端２２ｂｂに当たる状態である。上下風向補助板３１の先端は、回転軸３３を中心として、円軌道を描いて回動する。
【００２７】
＜上下風向板２７と上下風向補助板３１との位置関係＞
図３及び図４に示される様に、上下風向補助板３１の回転軸３３は、吹出口２２内部の前側に位置し、上下風向板２７の回転軸３２ａは、吹出口２２内部の背面側に位置する。図３に示される様に、運転停止状態において、上下風向板２７は、その板状部２７ａを水平にし、吹出口２２を覆う。また、上下風向補助板３１は、その板状部３１ａを背面側に移動させ、上下風向補助板３１の全体が吹出口２２の内部に納まる。運転停止状態においては、上下風向補助板３１は、上下風向板２７の上部に配置され、回転軸３３は、上下風向板２７の先端側の上部に位置する。また、上下風向補助板３１の板状部３１ａは、上下風向板２７の回転軸３２ａの前側で、上下風向板２７の板状部２７ａの上部に位置する。運転停止状態において、上記の様に上下風向板２７と上下風向補助板３１は、吹出口２２に収納されることから、室内の埃が堆積することが無い。
【００２８】
上記の運転停止状態から、上下風向板２７は、先端を筐体６０の前面側から背面側に向けて回動させて、吹出口２２が開いた状態になる。上下風向補助板３１は、上下風向補助板３１の回転する円軌道と交差しない位置まで上下風向板２７が回動してから、先端を筐体６０の背面側から前面側に向けて回動させる。上下風向板２７の回転する軌道と上下風向補助板３１の回転する軌道は、互いに交わるため、吹出口２２の開閉動作や風向を変更する場合には、互いに接触しないように作動させる必要がある。だが、このように構成することにより、２枚の風向板を狭いスペースに納めつつ、吹出風を上下方向に自由に調節することができ、また室内機２の運転時は吹出流路を大きく取ることも可能になる。
【００２９】
＜実施の形態１の室内機２の空気の流れ＞
以下に、図３及び図４に基づき室内機２内の空気の流れを説明する。図４に示された吸込口２１ａ及び吸込口２１ｂの近傍に示された矢印Ａは、吸込口から室内機２内に取り込まれる空気の流れを示す。室内機２の天面及び前面に配置されている吸込口２１から吸いこまれた空気は、室内熱交換器４を通過する際に室内熱交換器４の内部を流れる冷媒と熱交換される。室内熱交換器４を通過する空気は、空気調和機１が冷房運転であれば、冷やされ、暖房運転であれば、温められる。室内熱交換器４を通過し冷媒と熱交換された調和空気は、室内送風機５に至る。室内送風機５の内部、もしくは室内送風機５と背面パネル６５との隙間を通過した空気は、風路４０を通過し、左右風向板３０により左右方向の調整がされる。左右風向板３０を通過した空気は、吹出口２２に設置された上下風向板２７及び上下風向補助板３１に沿って、吹出口２２から室内機２の前方又は下方に向かって吹き出される。
【００３０】
室内機２が運転状態の時には、上下風向板２７は、吹出口２２の開口の下端の近傍に配置されている回転軸３２ａの周りに回動し、吹出口２２の下方に先端を移動させ、先端を室内機２の斜め下方向に向けている。その板状部２７ａは、回転軸３２ａから近い位置に配置されているため、上下風向板２７が回動して吹出口２２が開けられた状態でも、板状部２７ａの上流側端部２７ａａは、吹出口２２の開口部に位置している。そのため、上下風向板２７の板状部２７ａは、吹出口２２の開口部を起点として筐体６０の斜め下方向に突出している状態になっている。上下風向補助板３１は、図３に示されている吹出口２２内に収納された状態から、吹出口２２の開口の下端の近傍に配置されている回転軸３３の周りに回動し、吹出口２２から下方に突出し、吹出風を案内する板状部３１ａが略水平状態になるように配置されている。上下風向補助板３１は、その板状部３１ａが回転軸３３から離れた位置に設けられているため、所定の角度回動させると板状部３１ａの上流側端部３１ａａ及び下流側端部３１ａｂが吹出口２２の開口部から突出した位置に移動する。このように構成されていることにより、上下風向補助板３１の板状部３１ａは、上下風向板２７の先端付近の筐体６０前面側に位置することができる。つまり、上下風向板２７の板状部２７ａが吹出流路の上流側に位置し、上下風向補助板３１の板状部３１ａが吹出流路の下流側に位置して吹出口２２の開口部から連なって配置され吹出流路を形成する。吹出風は、上下風向板２７及び上下風向補助板３１により案内されて、筐体６０の前面側に向けて吹き出すことになる。なお、板状部３１ａは、吹出口２２から突出して、吹出口２２内部の風路の前面壁２２ｂの終端２２ｂｂとの距離が大きいほど、吹出流路の面積が大きくなり、水平方向の気流を形成する際の風路抵抗を少なくすることができる。
【００３１】
上下風向板２７は、図４に示される角度だけでなく、図３のように吹出口２２を塞ぐ状態から真下方向に先端を向けた状態までのそれぞれの角度に停止させることができる。上下風向補助板３１も、図３のように吹出口２２内部に収納された状態から図４に示されている略水平の状態までのそれぞれの角度に回動させることができる。上下風向板２７及び上下風向補助板３１が上記の様に回動可能に設けられていることにより、運転時において、空気を吹き出す角度を下向きに向けられるだけでなく、前側にも向けることができる。図４に示された上下風向板２７及び上下風向補助板３１の位置の場合は、室内機２は前方向吹きの状態である。吹出風の主流Ｆ１は、上下風向板２７の上流側ガイド面２６ａ、下流側ガイド面２６ｂ、及び上下風向補助板３１の板状部３１ａに案内され、室内機２の前面方向へ吹き出される。
【００３２】
図６は、図４の吹出口２２周辺の拡大図である。上下風向板２７の板状部２７ａは、水平方向と角度γを成して開かれている。吹出風は、左右風向板３０を通過した後、上下風向板２７の上側の面、すなわち運転停止時に筐体内部の方向に向いた面に案内されて風向が変わる主流Ｆ１と、背面壁２２ａの終端２２ａｂと上下風向板２７の回転軸３２ａの周辺部との隙間２９からでる副流Ｆ２に分かれる。副流Ｆ２は、隙間２９から室内機２外へ出た後、コアンダ効果により上下風向板２７の外側の面、すなわち運転停止時には吹出口２２を塞いで意匠面となる側の面に沿って流れる。一方、主流Ｆ１は、上下風向板２７の上流側ガイド面２６ａに当たり、上流側ガイド面２６ａ及び下流側ガイド面２６ｂの表面に沿った方向に流れが変更される。流れ方向が変更された主流Ｆ１は、略水平に向けられた上下風向補助板３１の板状部３１ａ上を通過して室内機２の前面方向に吹き出される。ここで、上下風向板２７の下流側ガイド面２６ｂと上下風向補助板３１の板状部３１ａとは、上下風向板２７の先端が向いている方向に吹出風が流れ込むように、隙間５０を設けて配置されている。上下風向板２７の表面に沿って流れる主流Ｆ１の一部は、下流側ガイド面２６ｂを沿って流れた後に副流Ｇ１となって隙間５０へと流れ込む。隙間５０へ流れ込んだ副流Ｇ１は、コアンダ効果により上下風向補助板３１の板状部３１ａの下側の面、すなわち回転軸３３を向いてない側の面に沿って流れる。
【００３３】
この時、上下風向補助板３１の板状部３１ａの上流側端部３１ａａは、下流側ガイド面２６ｂの下流側の端部である下流側ガイド面先端部２６ｂｂよりも上流側に位置する。つまり、上下風向補助板３１の板状部３１ａと下流側ガイド面２６ｂとは、吹出風の流れ方向に図６に示される寸法Ｂだけ重なり合っている。また、上下風向補助板３１の板状部３１ａの下側の面は、上流側端部３１ａａにおいて接線が下流側ガイド面２６ｂと略平行になっている。このように構成されることにより、隙間５０へ流れ込んだ副流Ｇ１は、上下風向補助板３１の板状部３１ａの下側面に沿って流れやすくなる。また、上下風向補助板３１の板状部３１ａの上流側端部３１ａａは、上流側ガイド面２６ａを吹出流路の下流方向に延長した仮想面上に位置する。このように構成されることにより、吹出風の主流Ｆ１は、上下風向板２７と上下風向補助板３１とにより形成される吹出流路を流れ、隙間５０に必要以上の流量の副流Ｇ１が流れないようになっている。
【００３４】
上記の様に副流Ｆ２及び副流Ｇ１は、上下風向板２７及び上下風向補助板３１の主流Ｆ１に面する側の面と反対側の面を流れ、上下風向板２７の板状部２７ａと上下風向補助板３１の板状部３１ａの両面にある空気に温度差が生じないようにすることができる。つまり、空気調和機の室内機２が冷房運転を行っている際に、上下風向板２７の板状部２７ａ及び上下風向補助板３１の板状部３１ａに暖かく湿った室内空気８３が接触するのを抑えることができるため、上下風向板２７及び上下風向補助板３１に結露が生じるのを抑制できる。
【００３５】
＜故障を防ぐための構造＞
図７は、上下風向板２７と上下風向補助板３１とが接触している状態の室内機２の断面を表した説明図である。図８は、図７の吹出口２２周辺の拡大図である。上下風向板２７と上下風向補助板３１とは、それぞれ独立して駆動されるので、それぞれ任意の角度に固定することができる。通常の上下風向板２７及び上下風向補助板３１の回転駆動制御によれば、両者は互いに接触することなく駆動される。しかし、上下風向板２７若しくは上下風向補助板３１又はその両方を手で動かす等の外力が加わった場合、上下風向板２７の先端と上下風向補助板３１の背面側の部分は接触する場合がある。上下風向板２７の先端が上下風向補助板３１の背面側の部分に接触すると、引っ掛かり動きが拘束され、両者が回転不可能な状態に陥り故障の原因となる。このため、実施の形態１では、上下風向板２７の先端が上下風向補助板３１の背面側の部分に接触しても、回転不可能な状態に陥らない構成となっている。
【００３６】
図８で、上下風向板２７と上下風向補助板３１とが回転不可能な状態に陥らないための構造について詳細に説明する。図８中に点線で示されている軌道８０は、上下風向板２７の先端２７ａｂが上下風向板２７の回転軸３２ａを中心に回転するときの軌道を示している。図７及び図８では、上下風向板２７の先端２７ａｂは、上下風向補助板３１の板状部３１ａの上流側端部３１ａａと腕部３４の背面部３４ａとの境目の部分に接触している。この時、上下風向補助板３１の背面側の部分に上下風向板２７の先端２７ａｂが引っ掛かるような突起が無ければ、上下風向板２７の回転動作は妨げられることは無い。つまり、上下風向補助板３１が吹出口２２から突出した状態であるときに、上下風向補助板３１の上下風向板２７側に向いている面に、上下風向板２７の先端２７ａｂが引っ掛かるような突起又は嵌るような凹みが無ければ、上下風向板２７の回転動作が妨げられることが無い。
【００３７】
図９は、図８の上下風向板２７と上下風向補助板３１との接触部をさらに拡大した模式図である。図８において上下風向板２７の先端２７ａｂは、上下風向補助板３１の板状部３１ａの上流側端部３１ａａと腕部３４の背面部３４ａとの境目の部分に接触しているが、図９はさらに上流側端部３１ａａが腕部３４の背面部３４ａから突出寸法Ｐだけ突出していた場合の図を示す。上下風向板２７の先端２７ａｂの下側の稜線部９０は、半径寸法Ｒの曲面で丸められている。一方、上下風向補助板３１の上流側端部３１ａａは、腕部３４の背面部３４ａから突出寸法Ｐだけ突出している。図９において、半径寸法Ｒと突出寸法Ｐとの関係は、Ｒ＞Ｐの関係になっている。図９に示されている方向Ｄは、上下風向板２７の回転移動方向を示す。また、軌道８１は、上下風向補助板３１の所定の位置における回転軌道を示す。上下風向板２７が方向Ｄの方向に動く場合は、半径寸法Ｒが突出寸法Ｐよりも大きく構成されており、上下風向補助板３１も回転方向に遊びがあるため、上下風向板２７の先端２７ａｂは、突起に引っ掛かることなく、方向Ｄに動くことが可能である。つまり、上下風向補助板３１の背面部に上下風向板２７の移動方向の動きを阻害する突起が存在したとしても、突出寸法Ｐが上下風向板２７の先端２７ａｂの稜線部９０に設けられた丸みの半径寸法Ｒよりも小さければ上下風向板２７は回転移動が可能である。
【００３８】
実施の形態１においては、室内機２の電源を入れる際や、電源を切る際には、上下風向板２７は、開く方向の動作を行うように制御される。つまり、図９に示される方向Ｄに回転するように制御される。これは、上下風向板２７が上下風向補助板３１の回転軌道上に入って上下風向補助板３１の回転移動を阻害しないようにするものであるが、図７〜図９に示されている上下風向板２７と上下風向補助板３１とが接触した状態においては、上下風向板２７と上下風向補助板３１との接触を解消するように働く。
【００３９】
なお、図９において、上下風向板２７の下側の面と先端の端面との間に形成された稜線部９０のみが半径寸法Ｒに丸められているが、先端の端面とテーパー面２５の間に形成された稜線部９１も半径寸法Ｒに丸められていても良い。稜線部９１も丸められている場合は、図９において突起部が先端２７ａｂの上側に設けられている場合であっても、上下風向板２７は方向Ｃに移動することが可能である。
【００４０】
＜本発明の効果＞
実施の形態１において、空気調和機１の室内機２は、背面側が室内の壁面Ｋに取り付けられる筐体６０と、筐体６０に設けられた吸込口２１及び吹出口２２と、吸込口２１から吹出口２２に至る風路に配置された室内熱交換器４及び室内送風機５と、吹出口２２に回動可能に配置され、吹出口２２の下部で吹出口２２から吹き出される吹出風の吹出流路を形成し、吹出風の方向を上下に変更する上下風向板２７と、回動して上下風向板２７より筐体６０の前面側に位置し、吹出口２２の下端から下部に突出した位置で吹出流路を形成し、吹出風の方向を上下に変更する上下風向補助板３１と、を備える。上下風向板２７の先端の回転軌道８０は、上下風向補助板３１の軌道８１と交差し、上下風向板２７は、先端２７ａｂに半径寸法Ｒの曲面を有する稜線部９０を備える。上下風向補助板３１は、上下風向板２７の先端２７ａｂが接触し得る面に突出寸法Ｐだけ突出した突起部を有する。突起部の突出寸法Ｐは、半径寸法Ｒよりも小さい。なお、上下風向板２７の先端２７ａｂが接触し得る面は、実施の形態１においては腕部３４の背面部３４ａ及び板状部３１ａの上流側端部３１ａａを指す。
このように構成されることにより、空気調和機１の室内機２は、外力により上下風向板２７及び上下風向補助板３１が接触した状態になっても、上下風向板２７の先端が上下風向補助板３１に引っ掛かり拘束されることがない。
【００４１】
実施の形態１の空気調和機１の室内機２において、上下風向補助板３１は、上下風向補助板回転軸３３を中心に回動し、上下風向補助板回転軸３３から延びる腕部３４と、腕部３４の上下風向補助板３１の回転軸３３が設けられている端部とは反対の端部に設けられた板状部３１ａと、を備える。突起部は、板状部３１ａが腕部３４の背面側端面から突出することにより形成される。
このように構成されることにより、上下風向補助板３１の腕部３４の背面側端面から板状部３１ａが突出させることができ、上下風向補助板３１の形状に自由度を持たせることができる。
【００４２】
実施の形態１の空気調和機１の室内機２において、上下風向板２７の回動の中心となる上下風向板回転軸３２ａと、上下風向補助板３１の回動の中心となる上下風向補助板回転軸３３と、を備え、上下風向板回転軸３２ａは、吹出口２２の内部の背面側に位置し、上下風向補助板回転軸３３は、吹出口２２の内部の上下風向板回転軸３２ａより前面側に位置し、上下風向板２７は、運転開始時に筐体６０の前面から背面方向に向かって回動し、上下風向補助板３１は、運転開始時に上下風向板２７とは反対回りに回動する。
このように構成されることにより、上下風向板２７及び上下風向補助板３１は、小さいスペースに配置することができ、運転時には吹出風路を大きく取ることができる。このような構成においては、上下風向板２７と上下風向補助板３１とが接触しやすい位置関係になっているが、上記の様にたとえ上下風向板２７と上下風向補助板３１とが接触したとしても上下風向板２７の先端が上下風向補助板３１に引っ掛かり拘束されることはない。
【００４３】
実施の形態１の空気調和機１の室内機２において、稜線部９０は、上下風向板２７の下側面と先端２７ａｂの端面により形成される。
このように構成されることにより、特に、実施の形態１のような上下風向板２７と上下風向補助板３１の位置関係で、上下風向補助板３１の板状部３１ａが腕部３４の背面側から突出している形状であっても、上下風向板２７は、下方向に動かすことができる。上下風向板２７に設ける稜線部９０のＲ形状も必要最小限の範囲に設ければ足りるため、上下風向板２７の製造上も自由度が増す。
【００４４】
実施の形態１の空気調和機１の室内機２において、上下風向補助板３１は、運転停止時に吹出口２２の内部に収納される。また、上下風向板２７は、運転停止時に吹出口２２を覆う。
このように構成されることにより、上下風向板２７及び上下風向補助板３１は、小さいスペースに配置することができ、さらに運転停止時においても、上下風向補助板３１は内部に収納されるため、室内機２の外観の見栄えが良い。また、上下風向板２７の下側の面が運転停止時の外観となり、上下風向板２７の上側の面及び上下風向補助板３１は外部から視認できない位置にあり、上下風向板２７の下側の面の外観品質のみを筐体６０の外観と同等に確保すれば良いため、部品のコストを最小限にすることができる。
【符号の説明】
【００４５】
１  空気調和機、２  室内機、３  室外機、４  室内熱交換器、５  室内送風機、６  室外熱交換器、７  室外送風機、８  圧縮機、９  四方切換弁、１０  膨張弁、１１  ガス側連絡配管、１２  液側連絡配管、１３  冷媒回路、２１  吸込口、２１ａ  吸込口、２１ｂ  吸込口、２２  吹出口、２２ａ  背面壁、２２ａｂ  終端、２２ｂ  前面壁、２２ｂａ  起点、２２ｂｂ  終端、２５  テーパー面、２６  上下風向板、２６ａ  上流側ガイド面、２６ｂ  下流側ガイド面、２６ｂｂ  下流側ガイド面先端部、２７  上下風向板、２７ａ  板状部、２７ａａ  上流側端部、２８  段差、２９  隙間  ３０  左右風向板、３１  上下風向補助板、３１ａ  板状部分、３１ａａ  上流側端部、３１ａｂ  下流側端部、３２  支持部材、３２ａ  （上下風向板）回転軸、３３  （上下風向補助板）回転軸、３４  腕部、３４  背面部、３７  フィルター、３８  ドレンパン、４０  風路、５０  隙間、５１  上下風向板駆動用モータ、５３  上下風向補助板駆動用モータ、５４  左右風向板駆動用モータ、６０  筐体、６３  前面パネル、６３ａ  下端、６４  側面パネル、６５  背面パネル、６６  下面パネル、６８  天面パネル、７２  左右風向板連結棒、７５  左右風向板駆動用モータ連結棒、７６  連結部、８０  （回転）軌道、８１  軌道、８３  室内空気、９０  稜線部、９１  稜線部、Ａ  矢印、Ｂ  寸法、Ｃ  方向、Ｄ  方向、Ｆ１  主流、Ｆ２  副流、Ｇ１  副流、Ｋ  壁面、Ｐ  突出寸法、Ｒ  半径寸法、Ｔ  天井面、γ  角度。
【図１】
2017134744.tif 000003
【図２】
2017134744.tif 000004
【図３】
2017134744.tif 000005
【図４】
2017134744.tif 000006
【図５】
2017134744.tif 000007
【図６】
2017134744.tif 000008
【図７】
2017134744.tif 000009
【図８】
2017134744.tif 000010
【図９】
2017134744.tif 000011
【手続補正書】
【提出日】平成30年5月11日(2018.5.11)
【手続補正１】
【補正対象書類名】明細書
【補正対象項目名】０００７
【補正方法】変更
【補正の内容】
【０００７】
本発明に係る空気調和機の室内機は、背面側が室内の壁に取り付けられる筐体と、前記筐体に設けられた吸込口及び吹出口と、前記吸込口から前記吹出口に至る風路に配置された室内熱交換器及び室内送風機と、前記吹出口に回動可能に配置され、前記吹出口の下方で前記吹出口から吹き出される吹出風の吹出流路を形成し、前記吹出風の方向を上下に変更する上下風向板と、回動して前記上下風向板より前記筐体の前面側に位置し、前記吹出口の下方に突出した位置で前記吹出流路を形成し、前記吹出風の方向を上下に変更する上下風向補助板と、を備え、前記上下風向板の先端の回転軌道は、前記上下風向補助板の軌道と交差し、前記上下風向板は、前記先端に半径寸法Ｒの曲面を有する稜線部を備え、前記上下風向補助板は、前記上下風向板の前記先端が接触し得る面に突出寸法Ｐだけ突出した突起部を有し、前記突起部の前記突出寸法Ｐは、前記半径寸法Ｒよりも小さい。
【手続補正２】
【補正対象書類名】明細書
【補正対象項目名】００２３
【補正方法】変更
【補正の内容】
【００２３】
この上下風向板２７は、図５に示される上下風向板駆動用モータ５１が駆動されることによって、回転軸３２ａを中心に上側構造当たり（全閉状態）から下側構造当たり（全開状態）までの範囲を回動できるようになっている。上下風向板２７の先端２７ａｂは、回転軸３２ａを中心として、円軌道を描いて回動する。
【手続補正３】
【補正対象書類名】明細書
【補正対象項目名】００２７
【補正方法】変更
【補正の内容】
【００２７】
＜上下風向板２７と上下風向補助板３１との位置関係＞
図３及び図４に示される様に、上下風向補助板３１の回転軸３３は、吹出口２２内部の前側に位置し、上下風向板２７の回転軸３２ａは、吹出口２２内部の背面側に位置する。図３に示される様に、運転停止状態において、上下風向板２７は、その板状部２７ａを水平にし、吹出口２２を覆う。また、上下風向補助板３１は、その板状部３１ａを背面側に移動させ、上下風向補助板３１の全体が吹出口２２の内部に納まる。運転停止状態においては、上下風向補助板３１は、上下風向板２７の上部に配置され、回転軸３３は、上下風向板２７の先端２７ａｂ側の上部に位置する。また、上下風向補助板３１の板状部３１ａは、上下風向板２７の回転軸３２ａの前側で、上下風向板２７の板状部２７ａの上部に位置する。運転停止状態において、上記の様に上下風向板２７と上下風向補助板３１は、吹出口２２に収納されることから、室内の埃が堆積することが無い。
【手続補正４】
【補正対象書類名】明細書
【補正対象項目名】００２８
【補正方法】変更
【補正の内容】
【００２８】
上記の運転停止状態から、上下風向板２７は、先端２７ａｂを筐体６０の前面側から背面側に向けて回動させて、吹出口２２が開いた状態になる。上下風向補助板３１は、上下風向補助板３１の回転する円軌道と交差しない位置まで上下風向板２７が回動してから、先端を筐体６０の背面側から前面側に向けて回動させる。上下風向板２７の回転する軌道と上下風向補助板３１の回転する軌道は、互いに交わるため、吹出口２２の開閉動作や風向を変更する場合には、互いに接触しないように作動させる必要がある。だが、このように構成することにより、２枚の風向板を狭いスペースに納めつつ、吹出風を上下方向に自由に調節することができ、また室内機２の運転時は吹出流路を大きく取ることも可能になる。
【手続補正５】
【補正対象書類名】明細書
【補正対象項目名】００３０
【補正方法】変更
【補正の内容】
【００３０】
室内機２が運転状態の時には、上下風向板２７は、吹出口２２の開口の下端の近傍に配置されている回転軸３２ａの周りに回動し、吹出口２２の下方に先端２７ａｂを移動させ、先端２７ａｂを室内機２の斜め下方向に向けている。その板状部２７ａは、回転軸３２ａから近い位置に配置されているため、上下風向板２７が回動して吹出口２２が開けられた状態でも、板状部２７ａの上流側端部２７ａａは、吹出口２２の開口部に位置している。そのため、上下風向板２７の板状部２７ａは、吹出口２２の開口部を起点として筐体６０の斜め下方向に突出している状態になっている。上下風向補助板３１は、図３に示されている吹出口２２内に収納された状態から、吹出口２２の開口の下端の近傍に配置されている回転軸３３の周りに回動し、吹出口２２から下方に突出し、吹出風を案内する板状部３１ａが略水平状態になるように配置されている。上下風向補助板３１は、その板状部３１ａが回転軸３３から離れた位置に設けられているため、所定の角度回動させると板状部３１ａの突起部３１ａａ及び下流側端部３１ａｂが吹出口２２の開口部から突出した位置に移動する。このように構成されていることにより、上下風向補助板３１の板状部３１ａは、上下風向板２７の先端２７ａｂ付近の筐体６０前面側に位置することができる。つまり、上下風向板２７の板状部２７ａが吹出流路の上流側に位置し、上下風向補助板３１の板状部３１ａが吹出流路の下流側に位置して吹出口２２の開口部から連なって配置され吹出流路を形成する。吹出風は、上下風向板２７及び上下風向補助板３１により案内されて、筐体６０の前面側に向けて吹き出すことになる。なお、板状部３１ａは、吹出口２２から突出して、吹出口２２内部の風路の前面壁２２ｂの終端２２ｂｂとの距離が大きいほど、吹出流路の面積が大きくなり、水平方向の気流を形成する際の風路抵抗を少なくすることができる。
【手続補正６】
【補正対象書類名】明細書
【補正対象項目名】００３１
【補正方法】変更
【補正の内容】
【００３１】
上下風向板２７は、図４に示される角度だけでなく、図３のように吹出口２２を塞ぐ状態から真下方向に先端２７ａｂを向けた状態までのそれぞれの角度に停止させることができる。上下風向補助板３１も、図３のように吹出口２２内部に収納された状態から図４に示されている略水平の状態までのそれぞれの角度に回動させることができる。上下風向板２７及び上下風向補助板３１が上記の様に回動可能に設けられていることにより、運転時において、空気を吹き出す角度を下向きに向けられるだけでなく、前側にも向けることができる。図４に示された上下風向板２７及び上下風向補助板３１の位置の場合は、室内機２は前方向吹きの状態である。吹出風の主流Ｆ１は、上下風向板２７の上流側ガイド面２６ａ、下流側ガイド面２６ｂ、及び上下風向補助板３１の板状部３１ａに案内され、室内機２の前面方向へ吹き出される。
【手続補正７】
【補正対象書類名】明細書
【補正対象項目名】００３２
【補正方法】変更
【補正の内容】
【００３２】
図６は、図４の吹出口２２周辺の拡大図である。上下風向板２７の板状部２７ａは、水平方向と角度γを成して開かれている。吹出風は、左右風向板３０を通過した後、上下風向板２７の上側の面、すなわち運転停止時に筐体内部の方向に向いた面に案内されて風向が変わる主流Ｆ１と、背面壁２２ａの終端２２ａｂと上下風向板２７の回転軸３２ａの周辺部との隙間２９からでる副流Ｆ２に分かれる。副流Ｆ２は、隙間２９から室内機２外へ出た後、コアンダ効果により上下風向板２７の外側の面、すなわち運転停止時には吹出口２２を塞いで意匠面となる側の面に沿って流れる。一方、主流Ｆ１は、上下風向板２７の上流側ガイド面２６ａに当たり、上流側ガイド面２６ａ及び下流側ガイド面２６ｂの表面に沿った方向に流れが変更される。流れ方向が変更された主流Ｆ１は、略水平に向けられた上下風向補助板３１の板状部３１ａ上を通過して室内機２の前面方向に吹き出される。ここで、上下風向板２７の下流側ガイド面２６ｂと上下風向補助板３１の板状部３１ａとは、上下風向板２７の先端２７ａｂが向いている方向に吹出風が流れ込むように、隙間５０を設けて配置されている。上下風向板２７の表面に沿って流れる主流Ｆ１の一部は、下流側ガイド面２６ｂを沿って流れた後に副流Ｇ１となって隙間５０へと流れ込む。隙間５０へ流れ込んだ副流Ｇ１は、コアンダ効果により上下風向補助板３１の板状部３１ａの下側の面、すなわち回転軸３３を向いてない側の面に沿って流れる。
【手続補正８】
【補正対象書類名】明細書
【補正対象項目名】００３３
【補正方法】変更
【補正の内容】
【００３３】
この時、上下風向補助板３１の板状部３１ａの突起部３１ａａは、下流側ガイド面２６ｂの下流側の端部である下流側ガイド面先端部２６ｂｂよりも上流側に位置する。つまり、上下風向補助板３１の板状部３１ａと下流側ガイド面２６ｂとは、吹出風の流れ方向に図６に示される寸法Ｂだけ重なり合っている。また、上下風向補助板３１の板状部３１ａの下側の面は、突起部３１ａａにおいて接線が下流側ガイド面２６ｂと略平行になっている。このように構成されることにより、隙間５０へ流れ込んだ副流Ｇ１は、上下風向補助板３１の板状部３１ａの下側面に沿って流れやすくなる。また、上下風向補助板３１の板状部３１ａの突起部３１ａａは、上流側ガイド面２６ａを吹出流路の下流方向に延長した仮想面上に位置する。このように構成されることにより、吹出風の主流Ｆ１は、上下風向板２７と上下風向補助板３１とにより形成される吹出流路を流れ、隙間５０に必要以上の流量の副流Ｇ１が流れないようになっている。
【手続補正９】
【補正対象書類名】明細書
【補正対象項目名】００３５
【補正方法】変更
【補正の内容】
【００３５】
＜故障を防ぐための構造＞
図７は、上下風向板２７と上下風向補助板３１とが接触している状態の室内機２の断面を表した説明図である。図８は、図７の吹出口２２周辺の拡大図である。上下風向板２７と上下風向補助板３１とは、それぞれ独立して駆動されるので、それぞれ任意の角度に固定することができる。通常の上下風向板２７及び上下風向補助板３１の回転駆動制御によれば、両者は互いに接触することなく駆動される。しかし、上下風向板２７若しくは上下風向補助板３１又はその両方を手で動かす等の外力が加わった場合、上下風向板２７の先端２７ａｂと上下風向補助板３１の背面側の部分は接触する場合がある。上下風向板２７の先端２７ａｂが上下風向補助板３１の背面側の部分に接触すると、引っ掛かり動きが拘束され、両者が回転不可能な状態に陥り故障の原因となる。このため、実施の形態１では、上下風向板２７の先端２７ａｂが上下風向補助板３１の背面側の部分に接触しても、回転不可能な状態に陥らない構成となっている。
【手続補正１０】
【補正対象書類名】明細書
【補正対象項目名】００３６
【補正方法】変更
【補正の内容】
【００３６】
図８で、上下風向板２７と上下風向補助板３１とが回転不可能な状態に陥らないための構造について詳細に説明する。図８中に点線で示されている軌道８０は、上下風向板２７の先端２７ａｂが上下風向板２７の回転軸３２ａを中心に回転するときの軌道を示している。図７及び図８では、上下風向板２７の先端２７ａｂは、上下風向補助板３１の板状部３１ａの突起部３１ａａと腕部３４の背面部３４ａとの境目の部分に接触している。この時、上下風向補助板３１の背面側の部分に上下風向板２７の先端２７ａｂが引っ掛かるような突起が無ければ、上下風向板２７の回転動作は妨げられることは無い。つまり、上下風向補助板３１が吹出口２２から突出した状態であるときに、上下風向補助板３１の上下風向板２７側に向いている面に、上下風向板２７の先端２７ａｂが引っ掛かるような突起又は嵌るような凹みが無ければ、上下風向板２７の回転動作が妨げられることが無い。
【手続補正１１】
【補正対象書類名】明細書
【補正対象項目名】００３７
【補正方法】変更
【補正の内容】
【００３７】
図９は、図８の上下風向板２７と上下風向補助板３１との接触部をさらに拡大した模式図である。図８において上下風向板２７の先端２７ａｂは、上下風向補助板３１の板状部３１ａの突起部３１ａａと腕部３４の背面部３４ａとの境目の部分に接触しているが、図９はさらに突起部３１ａａが腕部３４の背面部３４ａから突出寸法Ｐだけ突出していた場合の図を示す。上下風向板２７の先端２７ａｂの下側の稜線部９０は、半径寸法Ｒの曲面で丸められている。一方、上下風向補助板３１の突起部３１ａａは、腕部３４の背面部３４ａから突出寸法Ｐだけ突出している。図９において、半径寸法Ｒと突出寸法Ｐとの関係は、Ｒ＞Ｐの関係になっている。図９に示されている方向Ｄは、上下風向板２７の回転移動方向を示す。また、軌道８１は、上下風向補助板３１の所定の位置における回転軌道を示す。上下風向板２７が方向Ｄの方向に動く場合は、半径寸法Ｒが突出寸法Ｐよりも大きく構成されており、上下風向補助板３１も回転方向に遊びがあるため、上下風向板２７の先端２７ａｂは、突起に引っ掛かることなく、方向Ｄに動くことが可能である。つまり、上下風向補助板３１の背面部に上下風向板２７の移動方向の動きを阻害する突起が存在したとしても、突出寸法Ｐが上下風向板２７の先端２７ａｂの稜線部９０に設けられた丸みの半径寸法Ｒよりも小さければ上下風向板２７は回転移動が可能である。
【手続補正１２】
【補正対象書類名】明細書
【補正対象項目名】００３９
【補正方法】変更
【補正の内容】
【００３９】
なお、図９において、上下風向板２７の下側の面と先端２７ａｂの端面との間に形成された稜線部９０のみが半径寸法Ｒに丸められているが、先端の端面とテーパー面２５の間に形成された稜線部９１も半径寸法Ｒに丸められていても良い。稜線部９１も丸められている場合は、図９において突起部３１ａａが先端２７ａｂの上側に設けられている場合であっても、上下風向板２７は方向Ｃに移動することが可能である。
【手続補正１３】
【補正対象書類名】明細書
【補正対象項目名】００４０
【補正方法】変更
【補正の内容】
【００４０】
＜本発明の効果＞
実施の形態１において、空気調和機１の室内機２は、背面側が室内の壁面Ｋに取り付けられる筐体６０と、筐体６０に設けられた吸込口２１及び吹出口２２と、吸込口２１から吹出口２２に至る風路に配置された室内熱交換器４及び室内送風機５と、吹出口２２に回動可能に配置され、吹出口２２の下部で吹出口２２から吹き出される吹出風の吹出流路を形成し、吹出風の方向を上下に変更する上下風向板２７と、回動して上下風向板２７より筐体６０の前面側に位置し、吹出口２２の下端から下部に突出した位置で吹出流路を形成し、吹出風の方向を上下に変更する上下風向補助板３１と、を備える。上下風向板２７の先端２７ａｂの回転軌道８０は、上下風向補助板３１の軌道８１と交差し、上下風向板２７は、先端２７ａｂに半径寸法Ｒの曲面を有する稜線部９０を備える。上下風向補助板３１は、上下風向板２７の先端２７ａｂが接触し得る面に突出寸法Ｐだけ突出した突起部３１ａａを有する。突起部３１ａａの突出寸法Ｐは、半径寸法Ｒよりも小さい。なお、上下風向板２７の先端２７ａｂが接触し得る面は、実施の形態１においては腕部３４の背面部３４ａを指す。
このように構成されることにより、空気調和機１の室内機２は、外力により上下風向板２７及び上下風向補助板３１が接触した状態になっても、上下風向板２７の先端２７ａｂが上下風向補助板３１に引っ掛かり拘束されることがない。
【手続補正１４】
【補正対象書類名】明細書
【補正対象項目名】００４１
【補正方法】変更
【補正の内容】
【００４１】
実施の形態１の空気調和機１の室内機２において、上下風向補助板３１は、上下風向補助板回転軸３３を中心に回動し、上下風向補助板回転軸３３から延びる腕部３４と、腕部３４の上下風向補助板３１の回転軸３３が設けられている端部とは反対の端部に設けられた板状部３１ａと、を備える。突起部３１ａａは、板状部３１ａが腕部３４の背面側端面から突出することにより形成される。
このように構成されることにより、上下風向補助板３１の腕部３４の背面側端面から板状部３１ａが突出させることができ、上下風向補助板３１の形状に自由度を持たせることができる。
【手続補正１５】
【補正対象書類名】明細書
【補正対象項目名】００４２
【補正方法】変更
【補正の内容】
【００４２】
実施の形態１の空気調和機１の室内機２において、上下風向板２７の回動の中心となる上下風向板回転軸３２ａと、上下風向補助板３１の回動の中心となる上下風向補助板回転軸３３と、を備え、上下風向板回転軸３２ａは、吹出口２２の内部の背面側に位置し、上下風向補助板回転軸３３は、吹出口２２の内部の上下風向板回転軸３２ａより前面側に位置し、上下風向板２７は、運転開始時に筐体６０の前面から背面方向に向かって回動し、上下風向補助板３１は、運転開始時に上下風向板２７とは反対回りに回動する。
このように構成されることにより、上下風向板２７及び上下風向補助板３１は、小さいスペースに配置することができ、運転時には吹出風路を大きく取ることができる。このような構成においては、上下風向板２７と上下風向補助板３１とが接触しやすい位置関係になっているが、上記の様にたとえ上下風向板２７と上下風向補助板３１とが接触したとしても上下風向板２７の先端２７ａｂが上下風向補助板３１に引っ掛かり拘束されることはない。
【手続補正１６】
【補正対象書類名】明細書
【補正対象項目名】００４５
【補正方法】変更
【補正の内容】
【００４５】
１  空気調和機、２  室内機、３  室外機、４  室内熱交換器、５  室内送風機、６  室外熱交換器、７  室外送風機、８  圧縮機、９  四方切換弁、１０  膨張弁、１１  ガス側連絡配管、１２  液側連絡配管、１３  冷媒回路、２１  吸込口、２１ａ  吸込口、２１ｂ  吸込口、２２  吹出口、２２ａ  背面壁、２２ａｂ  終端、２２ｂ  前面壁、２２ｂａ  起点、２２ｂｂ  終端、２５  テーパー面、２６ａ  上流側ガイド面、２６ｂ  下流側ガイド面、２６ｂｂ  下流側ガイド面先端部、２７  上下風向板、２７ａ  板状部、２７ａａ  上流側端部、２７ａｂ  先端、２８  段差、２９  隙間  ３０  左右風向板、３１  上下風向補助板、３１ａ  板状部分、３１ａａ  突起部、３１ａｂ  下流側端部、３２  支持部材、３２ａ  （上下風向板）回転軸、３３  （上下風向補助板）回転軸、３４  腕部、３４  背面部、３７  フィルター、３８  ドレンパン、４０  風路、５０  隙間、５１  上下風向板駆動用モータ、５３  上下風向補助板駆動用モータ、５４  左右風向板駆動用モータ、６０  筐体、６３  前面パネル、６３ａ  下端、６４  側面パネル、６５  背面パネル、６６  下面パネル、６８  天面パネル、７２  左右風向板連結棒、７５  左右風向板駆動用モータ連結棒、７６  連結部、８０  （回転）軌道、８１  軌道、８３  室内空気、９０  稜線部、９１  稜線部、Ａ  矢印、Ｂ  寸法、Ｃ  方向、Ｄ  方向、Ｆ１  主流、Ｆ２  副流、Ｇ１  副流、Ｋ  壁面、Ｐ  突出寸法、Ｒ  半径寸法、Ｔ  天井面、γ  角度。
【手続補正１７】
【補正対象書類名】特許請求の範囲
【補正対象項目名】全文
【補正方法】変更
【補正の内容】
【特許請求の範囲】
【請求項１】
背面側が室内の壁に取り付けられる筐体と、
前記筐体に設けられた吸込口及び吹出口と、
前記吸込口から前記吹出口に至る風路に配置された室内熱交換器及び室内送風機と、
前記吹出口に回動可能に配置され、前記吹出口の下方で前記吹出口から吹き出される吹出風の吹出流路を形成し、前記吹出風の方向を上下に変更する上下風向板と、
回動して前記上下風向板より前記筐体の前面側に位置し、前記吹出口の下方に突出した位置で前記吹出流路を形成し、前記吹出風の方向を上下に変更する上下風向補助板と、を備え、
前記上下風向板の先端の回転軌道は、
前記上下風向補助板の軌道と交差し、
前記上下風向板は、
前記先端に半径寸法Ｒの曲面を有する稜線部を備え、
前記上下風向補助板は、
前記上下風向板の前記先端が接触し得る面に突出寸法Ｐだけ突出した突起部を有し、
前記突起部の前記突出寸法Ｐは、
前記半径寸法Ｒよりも小さい、空気調和機の室内機。
【請求項２】
前記上下風向補助板は、
上下風向補助板回転軸を中心に回動し、
前記上下風向補助板回転軸から延びる腕部と、該腕部の前記上下風向補助板回転軸が設けられている端部とは反対の端部に設けられた板状部と、を備え、
前記突起部は、
前記板状部が前記腕部の背面側端面から前記突出寸法Ｐだけ突出して形成される、請求項１に記載の空気調和機の室内機。
【請求項３】
前記上下風向板の回動の中心となる上下風向板回転軸と、
前記上下風向補助板の回動の中心となる上下風向補助板回転軸と、を備え、
前記上下風向板回転軸は、
前記吹出口の内部の背面側に位置し、
前記上下風向補助板回転軸は、
前記吹出口の内部の前記上下風向板回転軸より前面側に位置し、
前記上下風向板は、
運転開始時に前記筐体の前面から背面方向に向かって回動し、
前記上下風向補助板は、
運転開始時に前記上下風向板とは反対回りに回動する、請求項１又は２に記載の空気調和機の室内機。
【請求項４】
前記稜線部は、
前記上下風向板の下側面と前記先端の端面により形成される、請求項１〜３の何れか１項に記載の空気調和機の室内機。
【請求項５】
前記上下風向補助板は、
運転停止時に前記吹出口の内部に収納される、請求項１〜４の何れか１項に記載の空気調和機の室内機。
【請求項６】
前記上下風向板は、
運転停止時に前記吹出口を覆う、請求項１〜５の何れか１項に記載の空気調和機の室内機。
【手続補正１８】
【補正対象書類名】図面
【補正対象項目名】図９
【補正方法】変更
【補正の内容】
【図９】
2017134744.tif 000012
【国際調査報告】
2017134744.tif 000013
2017134744.tif 000014
2017134744.tif 000015
2017134744.tif 000016